(57)【特許請求の範囲】
【請求項１】
空気調和機本体と、該本体に取り付けられる天面パネルと、同じく該本体に取り付けられる側面パネルと、前記空気調和機本体の背面側または側面側を設置場所壁面に固定するための据付金具とを有する床置き形空気調和機において、前記据付金具に形成されて該据付金具を空気調和機本体に取り付けるための取付け穴のピッチと、前記天面パネルを固定するために該天面パネルに用意された固定ネジ用の穴ピッチと、前記側面パネルを固定するために該側面パネルに用意された固定ネジ用の穴ピッチとを同一ピッチとし、前記据付金具を前記空気調和機本体に取り付ける際に、パネルの固定ネジを利用して前記空気調和機本体に共締めとすることで据付金具の固定を行うとともに空気調和機本体の背面側取付け用の据付金具と側面側取付け用の据付金具とを共用可能にしたことを特徴とする床置き形空気調和機。
【請求項２】
前記天面パネル固定ネジ用穴とこれに隣接する前記側面パネル固定ネジ用穴とのピッチを、前記据付金具の取付け穴ピッチに合わせていることを特徴とする請求項１記載の床置き形空気調和機。
【請求項３】
前記据付金具がスリットまたは部分薄肉の分割手段を有していることを特徴とする請求項１または２記載の床置き形空気調和機。
【請求項４】
前記床置き形空気調和機が、台板を備え、該台板の床面と接触する底面が、凹凸形状を有していることを特徴とする請求項１または２記載の床置き形空気調和機。
【請求項５】
前記台板底面の凹凸形状が、鋸状であることを特徴とする請求項４記載の床置き形空気調和機。
【請求項６】
前記台板底面の鋸状凹凸形状が、凹凸の方向を９０度ずらせた２種類の凹凸形状を組み合わせていることを特徴とする請求項５記載の床置き形空気調和機。
【発明の詳細な説明】
【０００１】
【発明の属する技術分野】
この発明は、床置き形空気調和機に関するものである。
【従来の技術】
図６に従来の空気調和機の設置の一例を斜視図にて示す。図において、床置き形空気調和機本体１は、天面に天面パネル２が天面パネル固定ネジ６で固定され、側面に側面パネル３が側面パネル固定ネジ１０で固定され、下面には台板４を持ち、据付金具５が天面パネル固定ネジ６で本体１の天面に、さらに木ネジで壁面１５に固定され、前記台板４が床面１６に接地するように構成されている。
【０００２】
床置き形空気調和機本体１の据付において、天面パネル後方に配置される据付金具５は、本体１に天面パネル２を固定する天面パネル固定ネジ６を一度取り外して、再度据付金具５と天面パネル２とを共締めすることによって本体１に固定する。このとき、図に示すように２本の天面パネル固定ネジ６のネジピッチと据付金具５の取付け穴ピッチは一致しておりαである。
【０００３】
その後、壁面１５と本体１の固定は、前記した天面パネル固定ネジ６を緩めて据付金具５を後方にスライドさせて壁面１５との距離を合わせ、壁固定用木ネジ７で固定する。据付金具５に設けられている取付け穴８は、長穴になっておりこの長穴寸法の分だけスライドが可能となっている。
【０００４】
また、取付け順序は、あらかじめ指定された寸法にて壁面１５に据付金具５を木ネジ７で固定しておき、かかるのちにこの据付金具５の下方に本体１を移動配置してから天面パネル固定ネジ６で据付金具５と天面パネルを共締めして固定する方法もある。
【０００５】
どちらの据付方法を選択するかは据付作業者の裁量によるが、天面パネル左右に用意されている側面パネル固定ネジ１０のピッチは図に示すごとくβであり、据付金具５の固定は天面パネル後方のみに設定されているため、壁面１５に対する本体１の向きは背面側のみの一方向に限定される。
【０００６】
また、本体１の下面を構成する台板４は、材質として耐油性を考慮し樹脂成形品、主にポリプロピレンが使用されるが、滑りやすい材質であることおよび底面がフラットに成形されるので、滑りやすいものとなっている。
【０００７】
【発明が解決しようとする課題】
従来の床置き形空気調和機は以上述べたように構成されており、据付金具固定位置が天面後方のみに設定されているため、壁面に対する本体の向きは背面側のみの一方向に限定されてしまい、壁面材質によっては据付金具の固定ができない、または部屋に対して本体の向きを適切に設定できないという課題があった。
【０００８】
また、本体台板が、それに使用される材質と底面形状がフラットに形成されることから滑りやすく、運搬時や仮置き時には移動の容易さともなるが、滑りすぎた場合に本体の損傷に結びつきやすい。また、据付後において、天面側で据付金具が本体の滑り、転倒の防止を図っているのに対して、台板が床面に対して滑りやすいのでは本体の微少な移動が据付金具に対する変形や破壊に結びつく危険性がある。
【０００９】
この発明における床置き形空気調和機は、上記した問題点を解消するためのものであり、据付場所の自由度を拡大すると共に、据付時における安全性の向上を図ることを目的としている。
【００１０】
【課題を解決するための手段】
この発明における床置き形空気調和機は、空気調和機本体と、該本体に取り付けられる天面パネルと、同じく該本体に取り付けられる側面パネルと、前記空気調和機本体の背面側または側面側を設置場所壁面に固定するための据付金具とを有する床置き形空気調和機において、前記据付金具に形成されて該据付金具を空気調和機本体に取り付けるための取付け穴のピッチと、前記天面パネルを固定するために該天面パネルに用意された固定ネジ用の穴ピッチと、前記側面パネルを固定するために該側面パネルに用意された固定ネジ用の穴ピッチとを同一ピッチとし、前記据付金具を前記空気調和機本体に取り付ける際に、パネルの固定ネジを利用して前記空気調和機本体に共締めとすることで据付金具の固定を行うとともに空気調和機本体の背面側取付け用の据付金具と側面側取付け用の据付金具とを共用可能にしたものである。
【００１１】
また、前記天面パネル固定ネジ用穴とこれに隣接する前記側面パネル固定ネジ用穴とのピッチを、前記据付金具の取付け穴ピッチに合わせてもよい。
【００１２】
また、前記据付金具がスリットまたは部分薄肉の分割手段を有していてもよい。
【００１３】
また、前記床置き形空気調和機が、台板を備え、該台板の床面と接触する底面が、凹凸形状を有していてもよい。
【００１４】
さらに、前記台板底面の凹凸形状が、鋸状であってもよい。
【００１５】
また、前記台板底面の鋸状凹凸形状が、凹凸の方向を９０度ずらせた２種類の凹凸形状を組み合わせていてもよい。
【００１６】
【発明の実施の形態】
発明の実施の形態１．
以下、この発明の実施の形態１を、図面を用いて説明する。図１にこの発明の実施の形態１における床置き形空気調和機の据付金具の本体への取付け位置を斜視図にて示す。なお図中、従来例である図６と同一または相当部分は同一符号を付け、その説明は省略する。以降の図面においても同様である。
【００１７】
据付金具５は、本体１に天面パネル２を固定する天面パネル固定ネジ６を一度取り外して、再度据付金具５と天面パネル２とを共締めすることによって本体１に固定する。このとき、図に示すように２本の天面パネル固定ネジ６のネジピッチと据付金具５の取付け穴ピッチは一致しておりαである。
【００１８】
その後、壁面１５と本体１の固定は、前記した天面パネル固定ネジ６を緩めて据付金具５を後方にスライドさせて壁面１５との距離を合わせ、壁固定用木ネジ７で固定する。据付金具５に設けられている取付け穴８は、長穴になっておりこの長穴寸法の分だけスライドが可能となっている。
【００１９】
また、側面意匠を構成する側面パネル３を固定する側面パネル固定ネジ１０のピッチを、天面パネル固定ネジ６のネジピッチαと合わせているので、据付金具５は、側面パネル固定ネジ１０を一度取り外して共締めとすることで、本体後方だけでなく本体左側面、本体右側面を壁面１５に固定することが可能となり、本体の背面側取付け用の据付金具と側面側取付け用の据付金具とを共用可能にできる。
【００２０】
発明の実施の形態２．
図２にこの発明の実施の形態２における床置き形空気調和機の据付金具の本体への取付け位置を斜視図にて示す。図において、天面パネル固定ネジ６の一つと、これに隣接する側面パネル固定ネジ１０ｂとの間隔を前記ピッチαと合わせている。これにより、据付金具５の取り付け穴の片側を前記天面パネル固定ネジ６の一つに、もう一方の片側を前記天面パネル固定ネジ６に隣接する側面パネル固定ネジ１０ｂに合わせることで、据付金具５を本体１に対して斜めに配置でき、本体１を壁面１５に対して斜めに設置することができる。また、図２に示した如く、部屋のコーナー設置において壁面１５の２面への固定が可能であり、据付金具５の取付け穴８が長穴であることにもより本体１の設置角度にある程度の自由度を持たせることができる。
【００２１】
発明の実施の形態３．
図３は、この発明の実施の形態３による据付金具５を分割可能とした例を示す。図３（ａ）は、据付金具５に複数のスリット穴９を設けていることを示している。図３（ｂ）は、ニッパ等の切断用具によりスリット穴９の切り残し部を切断することによって据付金具５が分割された様子を示している。
【００２２】
図４は、分割した据付金具５ａ、５ｂにより本体１を壁面１５に固定している様子を示す斜視図である。分割した据付金具５ａ、５ｂは側面パネル固定ネジ１０ｂにて共締めすることで本体１を壁面１５に対しある程度自由な角度で固定することができるので、本体１の設置角度をより自由に設定可能である。
【００２３】
尚、上記においては、据付金具５にスリット穴９を設けた構成として説明したが、スリット穴９の代わりに部分薄肉部を設けて据付金具５を切断可能とする構成でも同様の効果が得られる。
【００２４】
発明の実施の形態４．
図５（ａ）〜（ｄ）にこの発明の実施の形態４による本体１の下面を構成する台板４の底面の状態を示す。
【００２５】
本体１の下面を構成する台板４は、樹脂成形品で構成されている。材質としては、耐油性を考慮してポリプロピレンを使用し、床面１６と接する台板４底面部に凹凸形状１２を設け、これを一体成形にて得ている。凹凸形状１２は、床面１６との摩擦抵抗を上げるためのものであり、形状については図５（ａ）に示す鋸状の１２ａ、図５（ｂ）に示すディンプル状の１２ｂ、図５（ｃ）に示すシボ加工の１２ｃのいずれであってもよい。また、図５（ｄ）は図５（ａ）に示した鋸状凹凸の方向を９０度ずらせて２種類として組み合わせたものであり、前後、左右方向の滑りを防止できる。この凹凸形状を形成することによって本体１の運搬時、仮置き時、据付時の床面に対する滑りを防止することが可能となり、上記した発明の実施の形態１〜３に述べた本体１天面での据付金具５による壁面１５への固定と合わせて据付後の安全性確保が可能となる。
【００２６】
尚、図５（ａ）〜（ｄ）において、台板４底面に部分的に凹凸形状を形成した例を示しているが、底面全面に凹凸形状を形成してもよい。
【００２７】
【発明の効果】
以上述べたように、この発明に係る床置き形空気調和機は、天面パネル固定ネジ穴のピッチと、側面パネル固定ネジ穴のピッチを同一ピッチとすること、また、天面パネル固定ネジ６の一つと、これに隣接する側面パネル固定ネジ１０ｂとの間隔を据付金具取付け穴ピッチと同一ピッチとすることで、据付金具を天面パネルおよび側面パネルと共締めできるので、据付金具専用の固定穴や取付けネジを用意することなく据付金具を取り付けることができ、本体の壁面に対する据付位置の自由度を拡大する。
【００２８】
また、据付金具を分割して使用することで、部屋のコーナーへの設置時に本体を斜め設置する際の設置角度の自由度を広げることができる。
【００２９】
また、本体の下面を構成する樹脂製の台板の底面に凹凸形状を一体成形することによって、床面に対する摩擦抵抗を増し、本体の運搬時、仮置き時、据付時の本体の滑りを防止するので天面での据付金具の使用とあいまって据付後の安全性が確保できる。
【図面の簡単な説明】
【図１】  この発明の実施の形態１による床置き形空気調和機の据付金具取付け位置を示す斜視図。
【図２】  この発明の実施の形態２による床置き形空気調和機の据付金具取付け位置を示す斜視図。
【図３】  この発明の実施の形態３による据付金具を分割可能とした例を示す斜視図。
【図４】  この発明の実施の形態３による分割した据付金具による床置き形空気調和機の固定を示す斜視図。
【図５】  この発明の実施の形態４による本体の下面を構成する台板の底面の状態を示す図。
【図６】  従来の空気調和機の設置の例を示す斜視図。
【符号の説明】
１  床置き形空気調和機本体、      ２  天面パネル、
３  側面パネル、                  ４  台板、
５  据付金具、                    ６  天面パネル固定ネジ、
７  木ネジ、                      ８  取付け穴、
９  スリット穴、                １０  側面パネル取付けネジ、
１２  台板底面に設けた凹凸形状、
１５  壁面、
１６  床面
【図１】
0003770079.tif 000002
【図２】
0003770079.tif 000003
【図３】
0003770079.tif 000004
0003770079.tif 000005
【図４】
0003770079.tif 000006
【図５】
0003770079.tif 000007
0003770079.tif 000008
0003770079.tif 000009
0003770079.tif 000010
【図６】
0003770079.tif 000011